(57)【要約】【課題】複数の部品が１つの箱に収容されている場合にも、ユーザが部品の設定手順を直感的に認識することができるような梱包箱を提供することを目的とする。【解決手段】上記目的を達成するため、梱包箱１１は、複数の部品を梱包箱１１の深さ方向に順に収容する入れ子状の多段の凹部を有する部品多段収容手段を中に備え、設定手順が色彩、模様、光沢又は触感で区別されるマニュアル２２を梱包箱の蓋の一部として備えている。それぞれの部品の収容箇所周辺に設けられた多段の凹部は、マニュアル２２の設定手順のうち１の手順で使用する部品を取り出すと、次の手順で使用する部品及び当該部品を使用する設定手順に対応した色彩、模様、光沢又は触感を有する部位が見える。【選択図】図１
2009113827.tif 000002
【特許請求の範囲】
【請求項１】
複数の部品を梱包する梱包箱であって、
設定手順が色彩、模様、光沢又は触感で区別されるマニュアルを備え、
前記部品の収容箇所周辺が、前記部品を使用する前記設定手順に対応した色彩、模様、光沢又は触感を有することを特徴とする梱包箱。
【請求項２】
前記複数の部品を前記梱包箱の深さ方向に順に収容する入れ子状の多段の凹部を有する部品多段収容手段を前記梱包箱の中にさらに備え、
前記多段の凹部は、前記設定手順のうち１の手順で使用する前記部品を取り出すと、次の手順で使用する前記部品及び当該部品を使用する前記設定手順に対応した色彩、模様、光沢又は触感を有する部位が見えることを特徴とする請求項１に記載の梱包箱。
【請求項３】
前記複数の部品を同じ面上に収容する凹部を有する部品平面収容手段を前記梱包箱の中にさらに備え、
前記部品平面収容手段は、前記部品の収容箇所周辺が前記部品を使用する前記設定手順に対応した色彩、模様、光沢又は触感を有することを特徴とする請求項１に記載の梱包箱。
【請求項４】
複数の部品を梱包する梱包箱であって、
設定手順が色彩、模様、光沢又は触感で区別されるマニュアルと、
前記梱包箱に収容する前記複数の部品の間を仕切る仕切りと、を備え、
前記仕切りは、前記部品を使用する前記設定手順に対応した色彩、模様、光沢又は触感を有することを特徴とする梱包箱。
【請求項５】
前記仕切りは、前記梱包箱の深さ方向に段重ねで収容する前記複数の部品の間を仕切る多段仕切りであることを特徴とする請求項４に記載の梱包箱。
【請求項６】
前記仕切りは、一部がくり抜かれ又は透明になっていることを特徴とする請求項４又は５に記載の梱包箱。
【請求項７】
前記仕切りは、前記梱包箱の同じ面上に収容する平面仕切りであって、前記平面仕切りの部品を収容する側の面が前記部品を使用する前記設定手順に対応した色彩、模様、光沢又は触感を有することを特徴とする請求項４に記載の梱包箱。
【請求項８】
複数の部品を梱包する梱包箱であって、
設定手順が色彩、模様、光沢又は触感で区別されるマニュアルと、
前記梱包箱の内部で前記部品を包装する包装体と、を備え、
前記包装体は、前記部品を使用する前記設定手順に対応した色彩、模様、光沢又は触感を有することを特徴とする梱包箱。
【請求項９】
複数の部品を梱包する梱包箱であって、
設定手順が色彩、模様、光沢又は触感で区別されるマニュアルと、
前記部品に添付する表示札と、を備え、
前記表示札が、前記部品を使用する前記設定手順に対応した色彩、模様、光沢又は触感を有することを特徴とする梱包箱。
【請求項１０】
前記表示札は、前記部品を設定する際の操作すべき箇所に貼り付けられていることを特徴とする請求項９に記載の梱包箱。
【請求項１１】
前記設定手順に対応した色彩は、明度の高低の順番が前記設定手順の順番に対応していることを特徴とする請求項１から１０のいずれかに記載の梱包箱。
【請求項１２】
前記設定手順に対応した模様は、濃淡の順番が前記設定手順の順番に対応していることを特徴とする請求項１から１０のいずれかに記載の梱包箱。
【発明の詳細な説明】
【技術分野】
【０００１】
本発明は、複数の部品を梱包する梱包箱に関するものである。
【背景技術】
【０００２】
ユーザに複数の部品をダンボール箱などに梱包して送付し、ユーザ自身に複数の部品を組み立てさせたり、部品の配線を行わせたりする場合がある。このような場合、ユーザはダンボール箱から部品類を取り出し、マニュアルを参考にして、マニュアルに指定された手順で組み立てたり、配線を行ったりする必要がある。
【０００３】
このため、ユーザが手順を間違えないように、マニュアル提供者はマニュアルの配色や構成に工夫をしている。これまで、ユーザが手順を間違えないように、マニュアルではフォント、イラスト、写真等のビジュアル表現がどのように用いられているかを調査、類型化された例がある（例えば、非特許文献１参照。）。
【非特許文献１】「マニュアルにおける複合的ビジュアル手法」木原萌美、テクニカルコミュニケーションシンポジウム２００６論文集、ＰＰ．１５−１９
【発明の開示】
【発明が解決しようとする課題】
【０００４】
しかし、複数の部品が１つの箱に同梱されている場合、マニュアルに記載されている部品の特定を間違え、指定の手順で部品を組み立てられない場合がある。例えば、パソコンをインターネットに接続するための通信機器類の入っている箱には、通信機器本体の他に、通信機器本体と外部機器とを接続するケーブル、通信機器を動作させる電源アダプタ、パソコンの設定をするためのＣＤ、パソコンと通信機器本体とを接続する無線カード等多くの部品が同梱されている。
【０００５】
パソコンをインターネットに接続するためには、まず通信機器本体を取り出し、通信機器本体と外部機器とを接続し、電源アダプタを通信機器に接続し、電源を投入し、ＣＤをパソコンに挿入する。最後に、無線カードを取り出し、パソコンに無線カードを取り付ける。このような手順は、順番を守らないと、パソコンを正しくインターネットに接続することが出来ない。
【０００６】
しかし、マニュアルを参照することなく、部品を先に取り出し、自己の判断した手順で設定を開始してしまうユーザが多い。また、マニュアルに従って設定するユーザであっても、必ずしも指定する手順に従って設定するとは限らない。このような場合に、パソコンを正しくインターネットに接続することが出来なくなる。例えば、手順を守らずにＣＤを先に挿入してしまうと、パソコンをインターネットに接続することができなくなってしまうという問題がある。このように、マニュアルをいくら丁寧に記載しても、複数の部品が１つの箱に同梱されている場合は、ユーザに手順を間違えることなく実行させることは困難である。
【０００７】
そこで、複数の部品が１つの箱に梱包されている場合にも、ユーザが部品の設定手順を直感的に認識することができるような梱包箱を提供することを目的とする。
【課題を解決するための手段】
【０００８】
上記目的を達成するために、本発明に係る梱包箱は、部品の収容を設定手順に対応させた色彩等で区別することを特徴とする。色彩等で区別することにより、設定手順を直感的に認識することができる。
【０００９】
具体的には、本発明は、複数の部品を梱包する梱包箱であって、設定手順が色彩、模様、光沢又は触感で区別されるマニュアルを備え、前記部品の収容箇所周辺が、前記部品を使用する前記設定手順に対応した色彩、模様、光沢又は触感を有することを特徴とする梱包箱である。
【００１０】
本発明に係る梱包箱は、前記複数の部品を前記梱包箱の深さ方向に順に収容する入れ子状の多段の凹部を有する部品多段収容手段を前記梱包箱の中にさらに備え、前記多段の凹部は、前記設定手順のうち１の手順で使用する前記部品を取り出すと、次の手順で使用する前記部品及び当該部品を使用する前記設定手順に対応した色彩、模様、光沢又は触感を有する部位が見えることが好ましい。
【００１１】
本発明に係る梱包箱は、前記複数の部品を同じ面上に収容する凹部を有する部品平面収容手段を前記梱包箱の中にさらに備え、前記部品平面収容手段は、前記部品の収容箇所周辺が前記部品を使用する前記設定手順に対応した色彩、模様、光沢又は触感を有することが好ましい。
【００１２】
本発明は、複数の部品を梱包する梱包箱であって、設定手順が色彩、模様、光沢又は触感で区別されるマニュアルと、前記梱包箱に収容する前記複数の部品の間を仕切る仕切りと、を備え、前記仕切りは、前記部品を使用する前記設定手順に対応した色彩、模様、光沢又は触感を有することを特徴とする梱包箱である。
【００１３】
本発明に係る梱包箱は、前記仕切りは、前記梱包箱の深さ方向に段重ねで収容する前記複数の部品の間を仕切る多段仕切りであることが好ましい。
【００１４】
本発明に係る梱包箱は、前記仕切りは、一部がくり抜かれ又は透明になっていることが好ましい。
【００１５】
本発明に係る梱包箱は、前記仕切りは、前記梱包箱の同じ面上に収容する平面仕切りであって、前記平面仕切りの部品を収容する側の面が前記部品を使用する前記設定手順に対応した色彩、模様、光沢又は触感を有することが好ましい。
【００１６】
本発明は、複数の部品を梱包する梱包箱であって、設定手順が色彩、模様、光沢又は触感で区別されるマニュアルと、前記梱包箱の内部で前記部品を包装する包装体と、を備え、前記包装体は、前記部品を使用する前記設定手順に対応した色彩、模様、光沢又は触感を有することを特徴とする梱包箱である。
【００１７】
本発明は、複数の部品を梱包する梱包箱であって、設定手順が色彩、模様、光沢又は触感で区別されるマニュアルと、前記部品に添付する表示札と、を備え、前記表示札が、前記部品を使用する前記設定手順に対応した色彩、模様、光沢又は触感を有することを特徴とする梱包箱である。
【００１８】
本発明に係る梱包箱は、前記表示札は、前記部品を設定する際の操作すべき箇所に貼り付けられていることが好ましい。
【００１９】
本発明に係る梱包箱は、前記設定手順に対応した色彩は、明度の高低の順番が前記設定手順の順番に対応していることが好ましい。
【００２０】
本発明に係る梱包箱は、前記設定手順に対応した模様は、濃淡の順番が前記設定手順の順番に対応していることが好ましい。
【発明の効果】
【００２１】
本発明によれば、複数の部品が１つの箱に梱包されている場合にも、ユーザが部品の設定手順を直感的に認識することができるような梱包箱を提供することができる。
【発明を実施するための最良の形態】
【００２２】
添付の図面を参照して本発明の実施形態を説明する。以下に説明する実施形態は本発明の構成の例であり、本発明は、以下の実施形態に制限されるものではない。
【００２３】
（実施形態１）
本実施形態は、設定手順が色彩、模様、光沢又は触感で区別されるマニュアルを備え、部品の収容箇所周辺が、部品を使用する設定手順に対応した色彩、模様、光沢又は触感を有する梱包箱の一例である。ステップ１からステップ３までの設定手順でそれぞれ１個づつの部品を使用する梱包箱の斜視図及びその梱包箱に添付されるマニュアルを図１に示す。部品Ａ、部品Ｂ及び部品Ｃを梱包して、マニュアルを同梱した図１の梱包箱の断面図を図２に示す。
【００２４】
図１及び図２において、梱包箱１１は、部品Ａ、部品Ｂ及び部品Ｃを梱包箱１１の深さ方向に順に収容する入れ子状の多段の凹部を有する部品多段収容手段を中に備え、設定手順が色彩、模様、光沢又は触感で区別されるマニュアル２２を梱包箱の蓋の一部として備えている。それぞれの部品の収容箇所周辺に設けられた多段の凹部は、マニュアル２２に記載されている設定手順のうち１の手順で使用する部品を取り出すと、次の手順で使用する部品及び当該部品を使用する設定手順に対応した色彩、模様、光沢又は触感を有する部位が見える。
【００２５】
部品多段収容手段の材料としては、紙、木、プラスチック、金属、ビニール、発泡スチロール、ウレタン、ゴム、気泡緩衝材、陶磁器、ガラス、布等が例示できる。部品多段収容手段が有する入れ子状の多段の凹部とは、凹部の中にさらに凹部を有するものをいう。この凹部は、１つの部品を収容するものでも、複数の部品を収容するものでもよいし、設定手順に対応して１つの手順で使用等する複数の部品を収容するものでもよい。
【００２６】
設定手順には、部品の組み立て、接続、使用や付け替え、ソフトウェアのインストール、装置の切換え等の装置の動作環境を整える手順、料理に使用する具材の調理手順、調剤に使用する化学薬品、医薬品の調合手順が例示できる。以下の実施形態でも同様である。
【００２７】
梱包箱の材料としては、紙、木、プラスチック、金属、ビニール、発泡スチロール、ウレタン、ゴム、気泡緩衝材、陶磁器、ガラス、布等が例示できる。以下の実施形態でも同様である。
【００２８】
マニュアル２２には、図３に示すようにステップ１からステップ３までの設定手順が記載されている。マニュアル２２に記載されている設定手順は、色彩、模様、光沢又は触感で区別され、部品多段収容手段の面はマニュアル２２に記載されている設定手順に対応した色彩、模様、光沢又は触感を有する部位が見えるようになっている。
【００２９】
模様は、線描きの図形ばかりでなく、物理的に面に入れられた彫りでもよいし、切抜きでもよい。光沢には、金属色のような反射の質ばかりでなく、木質等の質感も含む。触感には、例えば、ふわふわの素材やつるつるの素材を用いることによって区別できるようにしてもよい。以下の実施形態でも同様である。
【００３０】
マニュアル２２を取り出すと、梱包箱１１には上から順に、部品Ａ、部品Ｂ、部品Ｃが梱包されている。部品Ａ、部品Ｂ及び部品Ｃの収容箇所周辺には、部品Ａ、部品Ｂ及び部品Ｃを収容する部品多段収容手段が配置されている。部品Ａが収容されている状態では、ステップ１の設定手順で使用する部品Ａと共にマニュアル２２に記載されているステップ１に対応した色彩、模様、光沢又は触感を有する部品多段収容手段の面１０ａが見える。もし、部品Ａの高さが面１０ａの深さよりも低い場合、ユーザが部品Ａを取り出す前の状態のときにも面１０ｂの一部が見えてしまう。図１では面１０ａは、全てステップ２に対応する色になっているが、部品Ａの高さが面１０ａの深さよりも低い場合は、面１０ｂのうち部品Ａの高さよりも高い部分は、ステップ１に対応する色彩、模様、光沢又は触感であるケースも考えられる。部品Ａを取り出すと、部品多段収容手段の凹部には、ステップ２の設定手順で使用する部品Ｂと共にマニュアル２２に記載されているステップ２に対応した色彩、模様、光沢又は触感を有する部品多段収容手段の面１０ｂ及び１０ｃも見える。部品Ｂを取り出すと、部品多段収容手段の凹部には、ステップ３の設定手順で使用する部品Ｃと共にマニュアル２２に記載されているステップ３に対応した色彩、模様、光沢又は触感を有する部品多段収容手段の面１０ｄ及び１０ｅも見える。
【００３１】
マニュアルは、梱包箱に同梱されていてもよいし、別梱でもよい。マニュアルの形態としては１枚紙や製本されたものばかりでなく、蓋の表面・裏面、収容箇所周辺への記載も含まれる。梱包箱の底面や側面にマニュアルが記載されていてもよい。また、梱包箱に収容される部品の組み立て、配線の手順に対応する色彩、模様、光沢又感触に対応付けられた部品の内容が記載されており、各部品が揃っているかだけでなく、設定手順のステップ数、設定手順毎に必要な部品を把握できるようになっていてもよい。以下の実施形態でも同様である。
【００３２】
このように、複数の部品が１つの梱包箱に部品多段収容手段を利用して収容されている場合にも、部品の収容箇所周辺が、その部品を使用する設定手順に対応した色彩、模様、光沢又は触感を有するため、ユーザが部品の設定手順を直感的に認識することの可能な梱包箱を提供することができる。
【００３３】
（実施形態２）
本実施形態は、設定手順が色彩、模様、光沢又は触感で区別されるマニュアルを備え、部品の収容箇所周辺が、部品を使用する設定手順に対応した色彩、模様、光沢又は触感を有する梱包箱の他の例である。部品を配置する凹部は、必ずしも梱包箱の深さ方向に階段状になっている必要はない。例えば、部品が同じ面上に収容される構成もあり得る。ステップ１からステップ３までの設定手順でそれぞれ１個づつの部品を使用する例の梱包箱の斜視図を図４に示す。図４は、複数の部品を同じ面上に収容する凹部を有する部品平面収容手段を梱包箱１６の中に備え、部品平面収容手段が、部品の収容箇所周辺が部品を使用する設定手順に対応した色彩、模様、光沢又は触感を有する梱包箱である。
【００３４】
部品平面収容手段の材料は紙、木、プラスチック、金属、ビニール、発泡スチロール、ウレタン、ゴム、気泡緩衝材、陶磁器、ガラス、布等が例示できる。部品平面収容手段の凹部は、１つの部品を収容するものでも、複数の部品を収容するものでもよいし、設定手順に対応して１つの手順で使用等する複数の部品を収容するものでもよい。
【００３５】
このように、複数の部品が１つの梱包箱に部品平面収容手段を利用して収容されている場合には、部品の収容箇所周辺が、その部品を使用する設定手順に対応した色彩、模様、光沢又は触感を有するため、ユーザが部品の設定手順を直感的に認識することの可能な梱包箱を提供することができる。
【００３６】
（実施形態３）
部品が同じ面上に複数収容され、いずれかの部品を取り出すと、さらにその奥に同じステップで使用する部品が収容されている例もある。このような梱包箱の斜視図を図５に、複数の部品を収容し、設定手順が色彩、模様、光沢又は触感で区別されるマニュアルを備えた梱包箱の断面図を図６に示す。
【００３７】
図５、図６において、マニュアル２３を取り出すと、設定手順のステップ１で使用する部品Ａとマニュアル２３に記載されているステップ１に対応した色彩、模様、光沢又は触感を有する面が見える。部品平面収容手段の凹部から部品Ａを取り出しても、部品Ｂの収容箇所周辺を囲む部品平面収容手段の面はステップ１に対応した色彩、模様、光沢又は触感を有するため、部品Ｂもステップ１で使用することが直感的に認識できる。部品平面収容手段の凹部から部品Ｂを取り出すと、部品平面収容手段の凹部に収容されているステップ２の設定手順で使用する部品Ｃと共にマニュアル２３に記載されているステップ２に対応した色彩、模様、光沢又は触感を有する部品平面収容手段の面も見える。部品平面収容手段の凹部から部品Ｃを取り出すと、部品平面収容手段の凹部に収容されているステップ３の設定手順で使用する部品Ｄ及び部品Ｅと共にマニュアル２３に記載されているステップ３に対応した色彩、模様、光沢又は触感を有する部品平面収容手段の面も見える。
【００３８】
このように、複数の部品が１つの梱包箱に収容されている場合にも、部品の収容箇所周辺が、その部品を使用する設定手順に対応した色彩、模様、光沢又は触感を有するため、ユーザが部品の設定手順を直感的に認識することの可能な梱包箱を提供することができる。
【００３９】
（実施形態４）
部品を収容する際に、必ずしも部品の収容箇所周辺が部品を使用する前記設定手順に対応した色彩、模様、光沢又は触感を有する必要はない。例えば、部品に添付する表示札が、部品を使用する設定手順に対応した色彩、模様、光沢又は触感を有する梱包箱でもよい。マニュアルには色彩、模様、光沢又は触感で区別される設定手順が記載されており、設定手順に対応した色彩、模様、光沢又は触感を有する表示札が部品に添付されている。表示札にはシール、ラベル、タグ等が例示できる。
【００４０】
これらの表示札は部品そのものに添付してもよいし、部品を包む袋や箱に添付してもよい。さらに、これらの表示札を、部品を設定する際の操作すべき箇所に貼り付けられていると操作箇所が鮮明になり、ユーザが誤りなく部品を操作することができる。操作すべき箇所には、ケーブル接続コネクタ、挿入箇所、結合箇所、取り外し箇所、付け替え箇所等が例示できる。
【００４１】
このように、複数の部品が１つの梱包箱に収容されている場合にも、部品等に添付された表示札が、その部品を使用する設定手順に対応した色彩、模様、光沢又は触感を有するため、ユーザが部品の設定手順を直感的に認識することの可能な梱包箱を提供することができる。さらに、ユーザが部品を梱包箱から取り出しても、部品に添付された表示札が、その部品を使用する設定手順に対応した色彩、模様、光沢又は触感を有するため、ユーザが部品の設定手順を直感的に認識することの可能な梱包箱を提供することができる。
【００４２】
（実施形態５）
ステップ１からステップ３までの設定手順でそれぞれ使用する複数の部品の間を仕切る仕切りを利用して、複数の部品を収容し、設定手順が色彩、模様、光沢又は触感で区別されるマニュアルを備える梱包箱の一例の断面図を図７に、その梱包箱の分解図を図８に示す。
【００４３】
図７及び図８において、梱包箱１９は、部品Ａ、部品Ｂ及び部品Ｃを梱包箱１９の深さ方向に段重ねで収容して複数の部品の間を仕切る多段仕切り４１、４２及び４３を中に備え、設定手順が色彩、模様、光沢又は触感で区別されるマニュアル２４を梱包箱の蓋の一部として備えている。
【００４４】
複数の部品の間を仕切る多段仕切り４１、４２及び４３はそれぞれ設定手順のステップ１からステップ３に対応した色彩、模様、光沢又は触感を有する。マニュアル２４に記載されている設定手順のうち１の手順で使用する部品と多段仕切りを取り出すと、次の手順で使用する部品及び当該部品を使用する設定手順に対応した色彩、模様、光沢又は触感を有する多段仕切りが見える。例えば、マニュアル２４を取り外すと、ステップ１に対応した色彩、模様、光沢又は触感を有する多段仕切り４１及びステップ１で使用する部品Ａが見える。部品Ａと多段仕切り４１を取り外すと、ステップ２に対応した色彩、模様、光沢又は触感を有する多段仕切り４２及びステップ２で使用する部品Ｂが見える。部品Ｂと多段仕切り４２を取り外すと、ステップ３に対応した色彩、模様、光沢又は触感を有する多段仕切り４３及びステップ３で使用する部品Ｃが見える。
【００４５】
多段仕切りは、部品を留めることが出来る大きさであることが必要で、部品を固定するために、多段仕切り４１のように凹部が形成された構成でもよいし、多段仕切り４２のように切れ込みが入っている構成でもよい。また、多段仕切り４３のように、凹凸がない場合は、ゴムバンド３１などで部品が動かないように固定できる構成でもよいが、その固定方法は限定しない。
【００４６】
多段仕切りの材料としては、紙、木、プラスチック、金属、ビニール、発泡スチロール、ウレタン、ゴム、気泡緩衝材、陶磁器、ガラス、布等が例示できる。多段仕切りは、１つの部品を仕切るものでも、複数の部品を仕切るものでもよいし、設定手順に対応して１つの手順で使用等する複数の部品を仕切るものでもよい。
【００４７】
多段仕切りは、一部がくり抜かれ又は透明になっていてもよい。図７、図８においてユーザが部品Ａのみを取り出し、多段仕切り４１が梱包箱１９の中に残されると、その下の部品Ｂや多段仕切り４２が見えない。ユーザは下段にも他の部品が収容されていることを認識しないまま、設定を中止してしまう虞がある。このようなとき、図９に示すように、多段仕切り４８は、凹部の一部がくり抜かれているくり抜き４９を有すると便利である。くり抜き４９は透明膜又は半透明膜が張られていてもよい。また、ウレタンフィルムのような透明膜で部品を上下から挟み込むようにしてもよい。一部がくり抜かれ又は透明になっている多段仕切りを採用すると、下段が透けて見えるため、ユーザはまだ部品が収容されていることを認識することができる。
【００４８】
このように、複数の部品が１つの梱包箱に収容されていても、梱包箱の上の方に収容する部品の大きさが、下の方に収容する部品よりも小さい場合は、図７、図８に示すような多段仕切りを配置することにより、上の方に収容された部品を取り出す前に、下の方に収容された部品とその周辺が見えてしまうことを防止することができる。また、多段仕切りが、その部品を使用する設定手順に対応した色彩、模様、光沢又は触感を有するため、ユーザが部品の設定手順を直感的に認識することの可能な梱包箱を提供することができる。
【００４９】
なお、図７、図８に示す梱包箱は、梱包箱の上の方に収容する部品の大きさが、下の方に収容する部品よりも小さい場合で説明したが、梱包箱の上の方に収容する部品の大きさが、下の方に収容する部品よりも大きい場合にも適用できることはいうまでもない。
【００５０】
（実施形態６）
複数の部品を梱包箱の同じ面上に収容して複数の部品の間を仕切る平面仕切りを備えてもよい。設定手順が色彩、模様、光沢又は触感で区別されるマニュアルも備え、平面仕切りの部品を収容する側の面が部品を使用する設定手順に対応した色彩、模様、光沢又は触感を有する。
【００５１】
ステップ１からステップ２までの設定手順でそれぞれ使用する２個の部品の間を仕切る仕切りを利用して、複数の部品を収容する梱包箱の斜視図の一例を図１０に示す。図１０において、梱包箱１７の内部には同じ面上に２つの部品を収容して、２つの部品の間を仕切る平面仕切り４４を備えている。平面仕切り４４の部品を収容する側の面は、部品を使用する設定手順のステップ１又はステップ２に対応した色彩、模様、光沢又は触感を有する。平面仕切り４４だけでなく、収容する凹部の下面や周囲の面も部品を使用する設定手順のステップ１又はステップ２に対応した色彩、模様、光沢又は触感を有すれば、一層効果的である。
【００５２】
このように、複数の部品が１つの梱包箱に収容されている場合にも、平面仕切りの部品を収容する側の面がその部品を使用する設定手順に対応した色彩、模様、光沢又は触感を有するため、ユーザが部品の設定手順を直感的に認識することの可能な梱包箱を提供することができる。
【００５３】
（実施形態７）
各部品を使用する設定手順を示すのに、仕切りではなく、各部品を包装する包装体でもよい。包装体としての小箱を例に、ステップ１の設定手順で部品Ｊ、部品Ｋ及びステップ２の設定手順で部品Ｌを使用する梱包箱の断面図及びその梱包箱に添付されるマニュアルの一例を図１１に示す。
【００５４】
図１１において、梱包箱１８は、部品Ｊ及び部品Ｌをそれぞれ包装した小箱５１、５３を同一の面上に収容し、部品Ｊを包装した小箱５２を梱包箱１８の深い方にある段に収容し、設定手順が色彩、模様、光沢又は触感で区別されるマニュアル２９を梱包箱の蓋の一部として備えている。小箱５１、５２及び５３は、当該部品を使用する設定手順に対応した色彩、模様、光沢又は触感を有する。
【００５５】
図１１の例では、部品Ｊ及び部品Ｋをステップ１で使用するため、ユーザに設定手順通りに実行させるには、その２つの部品を梱包箱の上部に配置し、部品Ｌはその下に配置することが望ましいが、部品の大きさと梱包効率の都合上、部品Ｌが部品Ｋの上に配置されている。この場合にも。小箱５１と小箱５２が同一ステップで使用する色彩等を有しているため、小箱５１を取り出した後に、小箱５２の包装する部品が小箱５１の包装する部品と同じステップで使用する部品であることが直感的に認識できる。
【００５６】
上部がくり抜かれた小箱の例を図１２に示す。図１２の小箱５４は、上部の一部がくり抜かれたくり抜き５５を有しているため、梱包箱に収容された又は取り出した際に、内部にどのような部品が入っているかを確認することができる。くり抜き５５は透明膜又は半透明膜が張られていてもよい。また、ウレタンフィルムのような透明膜で部品を上下から挟み込むようにしてもよい。
【００５７】
また、くり抜きに替えて、包装されている部品の絵や写真などが小箱の外装に描かれていてもよい。
【００５８】
包装体は、小箱に限らず、部品を包装するものであれば袋、帯でもよい。包装体は、１つの部品を包装するものでも、複数の部品を包装するものでもよいし、設定手順に対応して１つの手順で使用等する複数の部品を包装するものでもよい。
【００５９】
このように、複数の部品が包装体で包装されて１つの梱包箱に収容されている場合にも、部品を包装した包装体が、その部品を使用する設定手順に対応した色彩、模様、光沢又は触感を有するため、ユーザが部品の設定手順を直感的に認識することの可能な梱包箱を提供することができる。さらに、ユーザが部品を梱包箱から取り出しても、部品を包装した包装体が、その部品を使用する設定手順に対応した色彩、模様、光沢又は触感を有するため、部品の設定手順を直感的に認識することの可能な梱包箱を提供することができる。
【００６０】
（実施形態８）
これまで説明した設定手順に対応した色彩は、明度の高低の順番が設定手順の順番に対応していてもよい。色彩の明度の高低の順番が設定手順の順番に対応していると、色彩を見ただけで設定手順の相対的順番を把握することができる。例えば、設定手順の順番に合わせて、明度が明るい色から暗い色へ又はその逆になっていることが例示できる。
【００６１】
（実施形態９）
これまで説明した設定手順に対応した模様は、模様の濃淡の順番が設定手順の順番に対応していてもよい。模様の濃淡の順番が設定手順の順番に対応していると、模様を見ただけで設定手順の相対的順番を把握することができる。例えば、設定手順の順番に合わせて、模様が濃い色から淡い色へ又はその逆になっていることが例示できる。
【産業上の利用可能性】
【００６２】
本実施形態に係る梱包箱は、組み立て、接続、使用、付け替え、ソフトウェアのインストール、装置の切換え等の装置の動作環境を整える部品の梱包、料理に使用する具材の梱包、調剤に使用する化学薬品、医薬品の梱包にも適用することができる。
【図面の簡単な説明】
【００６３】
【図１】梱包箱の斜視図及びその梱包箱に添付されるマニュアルの一例である。
【図２】部品を梱包して、マニュアルを同梱した梱包箱の断面図である。
【図３】設定手順が記載されているマニュアルの例である。
【図４】梱包箱の斜視図である。
【図５】梱包箱の斜視図である。
【図６】部品を梱包して、マニュアルを同梱した梱包箱の断面図である。
【図７】部品を梱包して、マニュアルを同梱した梱包箱の断面図である。
【図８】梱包箱の分解図である。
【図９】くり抜きを有する多段仕切りの斜視図である。
【図１０】梱包箱の斜視図である。
【図１１】部品を梱包して、マニュアルを同梱した梱包箱の断面図である。
【図１２】上部がくり抜かれた小箱の斜視図である。
【符号の説明】
【００６４】
１１、１６、１７、１８、１９  梱包箱
１０ａ、１０ｂ、１０ｃ、１０ｄ、１０ｅ  面
２２、２３、２４、２９  マニュアル
３１  ゴムバンド
４１、４２、４３、４８  多段仕切り
４４  平面仕切り
４９  くり抜き
５１、５２、５３、５４  小箱
５５  くり抜き
【図１】
2009113827.tif 000003
【図２】
2009113827.tif 000004
【図３】
2009113827.tif 000005
【図４】
2009113827.tif 000006
【図５】
2009113827.tif 000007
【図６】
2009113827.tif 000008
【図７】
2009113827.tif 000009
【図８】
2009113827.tif 000010
【図９】
2009113827.tif 000011
【図１０】
2009113827.tif 000012
【図１１】
2009113827.tif 000013
【図１２】
2009113827.tif 000014